(57)【要約】【課題】光学部品の非点収差及び配置ずれによる非点収差がばらついた場合においても、光学系全体の非点収差を補正し抑制することができる光ピックアップ装置の提供を目的とする。【解決手段】接着剤１１によりコリメートレンズ保持部１０に接着されたコリメートレンズ３の側面と、コリメートレンズ保持部１０との間の所望の位置に、接着剤１１に比して硬度及び硬化収縮が大きい接着剤１２を塗布する。この接着剤１２の作用により、光学系全体の非点収差を打ち消す方向の非点収差をコリメートレンズ３に発生させ、光学系全体の非点収差補正を行うことができる。【選択図】図２
2007334950.tif 000002
【特許請求の範囲】
【請求項１】
半導体レーザからの出射光束をコリメートレンズにより平行光束にし、前記平行光束を対物レンズにより光ディスク面上に集光して、前記光ディスクに記録、もしくは前記光ディスクに記録された信号を再生する光ピックアップ装置であって、
前記コリメートレンズの側面と前記コリメートレンズを保持するコリメートレンズ保持部との間にあって、光学系全体が有する非点収差を打ち消す収差を前記コリメートレンズに発生させる箇所に接着剤を塗布することを特徴とする光ピックアップ装置。
【請求項２】
前記コリメートレンズ保持部が、前記コリメートレンズ側面に垂直方向に貫通孔を有することを特徴とする請求項１記載の光ピックアップ装置。
【発明の詳細な説明】
【技術分野】
【０００１】
本発明は、ＤＶＤ等の光ディスクの再生又は記録を行う光ディスクドライブの光ピックアップ装置に関するものである。
【背景技術】
【０００２】
ＤＶＤ、ＣＤ等の光ディスクの記録・再生を行う光ピックアップ装置は、半導体レーザのレーザ光を光ディスクの記録信号面に照射し、その反射光を受光して再生信号や制御信号を得ている。ここで、一般的な光ピックアップ装置の原理について、図１を用い説明する。
【０００３】
図１において、半導体レーザ１から出射されたレーザ光は回折格子２を透過して３ビームに回折され、コリメートレンズ３により平行光に変換された後、ハーフミラー４で反射光と透過光に分離される。ハーフミラー４を透過したレーザ光はフロントモニタ検出器９で受光される。フロントモニタ検出器９の出力は、ＡＰＣ（自動位相制御）回路１０を介して、制御信号として半導体レーザ１の光出力を制御する。一方、ハーフミラー４で反射されたレーザ光は立上げミラー５で反射したのち、対物レンズ６により光ディスク７の信号記録面に集光される。集光されたレーザ光は光ディスク７で反射したのち対物レンズ６、立上げミラー５を介してハーフミラー４を透過したのち受光素子８で受光され再生信号及び制御信号を得る。
【０００４】
ところで、このような光ピックアップ装置において良好な記録、もしくは再生性能を得るためには、光ディスクの信号記録面上に集光されたスポットの非点収差を抑えることが必要となる。非点収差の発生要因としては、半導体レーザが非点隔差を有することで発生する非点収差、光学部品単体がもつ非点収差、光学部品の配置ずれによって発生する非点収差が挙げられ、これらの収差が積み重なり、光ディスクの信号記録面上のスポットの非点収差となる。そこで、スポットの非点収差を補正する方法として、例えば、特許文献１では、半導体レーザの非点隔差によって発生する非点収差を、コリメートレンズを光軸と直交する方向に対して所定の角度だけ傾けることで発生する非点収差によって打ち消すようコリメートレンズを配置している。
【特許文献１】特開平８−１４７７４７号公報
【発明の開示】
【発明が解決しようとする課題】
【０００５】
しかしながら上記のような方法では、光学部品単体の非点収差及び光学部品の配置ずれによる非点収差は打ち消すことができず、実際の量産ではこれらの非点収差はばらつくため、光学系全体の非点収差を補正するには十分ではない。
【０００６】
そこで、本発明は光学部品の非点収差及び配置ずれによる非点収差がばらついた場合においても、光学系全体の非点収差を補正し抑制することを目的としてなされたものである。
【課題を解決するための手段】
【０００７】
この課題を解決するため本発明の光ピックアップ装置は、半導体レーザからの出射光束をコリメートレンズにより平行光束にし、前記平行光束を対物レンズにより光ディスク面上に集光して、前記光ディスクに記録、もしくは前記光ディスクに記録された信号を再生する光ピックアップ装置であって、前記コリメートレンズの側面と前記コリメートレンズを保持するコリメートレンズ保持部との間にあって、光学系全体が有する非点収差を打ち消す収差を前記コリメートレンズに発生させる箇所に接着剤を塗布することを特徴とする。
【０００８】
また、上記発明において、前記コリメートレンズ保持部が、前記コリメートレンズ側面に垂直方向に貫通孔を有することを特徴とする。
【発明の効果】
【０００９】
以上のように、本発明の光ピックアップ装置によれば、光学部品の非点収差及び配置ずれによる非点収差がばらついた場合においても、光学系全体の非点収差を補正し抑制することができる。
【発明を実施するための最良の形態】
【００１０】
本発明の実施の形態による光ピックアップ装置について、図面を参照しながら説明する。
【００１１】
本発明は、コリメートレンズの側面と、コリメートレンズを保持するためのコリメートレンズ保持部との間の所望の位置に、硬度及び硬化収縮が大きい接着剤を塗布する。この接着剤により、光学系全体の非点収差を打ち消す方向の非点収差をコリメートレンズに発生させ、光学系全体の非点収差補正を行うことを特徴としている。
【００１２】
（実施の形態１）
本発明の実施の形態による光ピックアップの光学系全体の構成は、先に示した図１と同様である。
【００１３】
図２は、本発明の実施の形態１による光ピックアップ装置のコリメートレンズ３とコリメートレンズ保持部１０の構造を示す模式図である。ここで図２を用いてコリメートレンズ３に非点収差を発生させる原理について説明する。
【００１４】
図２のようにコリメートレンズ３はコリメートレンズ保持部１０と硬度及び硬化収縮が小さい接着剤１１によりコリメートレンズ３に歪みが発生しないように接着されている。ここで、例えば光軸と垂直な面上の水平方向にコリメートレンズ３とコリメートレンズ保持部１０との間に硬度及び硬化収縮が大きい接着剤１２を塗布すると、コリメートレンズ３に歪みが発生し、水平方向（図中の矢印Ａ）に非点収差が発生する（図２（ａ））。逆に接着剤１２の塗布位置を垂直方向にすると、発生する非点収差も垂直方向（図中の矢印Ｂ）となる（図２（ｂ））。また、発生する非点収差の大きさは接着剤の塗布量により調整できる。従って、接着剤１２の塗布位置及び塗布量を調整することにより、光学系全体の非点収差を補正することができる。
【００１５】
従って、調整前の非点収差の大きさと方向を測定し、これに基づき、接着剤の塗布量と塗布位置を決定すればよい。
【００１６】
なお、上記の非点収差補正方法は、図１に示す光学系に限定されるものではない。
【００１７】
また、コリメートレンズ保持部１０は、光ピックアップ本体の構造の一部であってもよい。
【００１８】
（実施の形態２）
図３は、本発明の実施の形態２における光ピックアップ装置のコリメートレンズ３とコリメートレンズ保持部１３の構造を示す模式図である。本実施の形態は、実施の形態１とコリメートレンズ保持部の構造が異なる。本実施の形態のコリメートレンズ保持部１３は、コリメートレンズ３の側面と垂直な方向に硬度及び硬化収縮が大きい接着剤を注入するための貫通孔１４を有している。
【００１９】
この構造により、非点収差補正のための接着剤の塗布作業の作業効率を向上させることができる。
【００２０】
図３では、三方向に貫通孔１４を有しているので、補正すべき非点収差の大きさと方向から、接着剤を注入する位置（貫通孔１４）を選択し、最適な位置に接着剤を塗布することにより、光学系全体の非点収差を補正する方向の非点収差をコリメートレンズに発生させ、光学系全体の非点収差を補正できる。なお、設けられた貫通孔１４の数は、三方向に限定されるものではない。
【産業上の利用可能性】
【００２１】
本発明にかかる光ピックアップ装置は、光学部品の非点収差及び配置ずれによる非点収差がばらついた場合においても、光学系全体の非点収差を補正し抑制することができるので、ＤＶＤ等の光ディスクの再生又は記録を行う光ディスクドライブの光ピックアップ装置等の用途に有用である。
【図面の簡単な説明】
【００２２】
【図１】従来の光ピックアップ装置の光学系全体を示す模式図
【図２】本発明の実施の形態１による光ピックアップ装置のコリメートレンズとコリメートレンズ保持部の構造を示す模式図
【図３】本発明の実施の形態２における光ピックアップ装置のコリメートレンズ保持部の構造を示す模式図
【符号の説明】
【００２３】
１    半導体レーザ
２    回折格子
３    コリメートレンズ
４    ハーフミラー
５    立上げミラー
６    対物レンズ
７    光ディスク
８    受光素子
９    フロントモニタ検出器
１０    コリメートレンズ保持部
１１    硬度及び硬化収縮が小さい接着剤
１２    硬度及び硬化収縮が大きい接着剤
１３    コリメートレンズ保持部
１４    貫通孔
【図１】
2007334950.tif 000003
【図２】
2007334950.tif 000004
【図３】
2007334950.tif 000005